(57)【要約】【課題】被写体の所定位置における距離または大きさを容易に測定する。【解決手段】制御部１０１は、距離測定部１０７から被写体の所定位置までの距離情報を取得し、その距離情報から距離を求め、さらに表示部１１０に表示すべき目盛りの間隔を求める。ＯＳＤ部１０８は、制御部１０１から供給される表示データに基づき、表示部１１０に被写体の所定位置における実サイズを示す目盛りを表示するための表示信号を発生する。合成部１０９は、撮像信号処理部１０６で生成された画像信号にＯＳＤ部１０８から発生される表示信号を合成し、合成画像信号を表示部１１０および記録部１１１に供給する。表示部１１０には、被写体の撮像画像と共にこの被写体の所定位置における実サイズを示す目盛りが表示される。ユーザは、当該目盛りを参照して、被写体の所定位置における距離または大きさを測定できる。【選択図】図１
2008042580.tif 000002
【特許請求の範囲】
【請求項１】
被写体を撮像して撮像信号を得る撮像部と、
上記撮像部で得られる撮像信号を処理して画像信号を得る撮像信号処理部と、
上記被写体の所定位置までの距離を示す距離情報を取得する距離情報取得部と、
画像信号による画像を表示する表示部と、
少なくとも目盛り単位を示す目盛り単位情報および上記距離情報取得部で取得された距離情報を用いて、上記表示部に表示すべき目盛りの間隔を求める演算部と、
上記演算部で求められた目盛りの間隔の情報に基づいて、上記表示部に目盛りを表示するための表示信号を発生する表示信号発生部と、
上記撮像信号処理部で得られた画像信号に上記表示信号発生部で発生された表示信号を合成して上記表示部に供給する合成画像信号を得る合成部と
を備えることを特徴とする撮像装置。
【請求項２】
上記被写体の所定位置までの距離を測定する距離測定部をさらに備え、
上記距離情報取得部は、上記距離測定部より上記距離情報を取得する
ことを特徴とする請求項１に記載の撮像装置。
【請求項３】
上記被写体の所定位置までの距離を示す距離情報をユーザが入力するためのユーザ操作部をさらに備え、
上記距離情報取得部は、上記ユーザ操作部で入力された上記距離情報を取得する
ことを特徴とする請求項１に記載の撮像装置。
【請求項４】
上記目盛り単位を示す目盛り単位情報をユーザが入力するためのユーザ操作部をさらに備える
ことを特徴とする請求項１に記載の撮像装置。
【請求項５】
上記撮像部はズーム機能を有し、
上記ズーム機能に係るズーム倍率をユーザが設定するためのユーザ操作部をさらに備え、
上記演算部は、少なくとも上記目盛り単位情報および上記距離情報の他に、上記ユーザ操作部で設定されたズーム倍率を用いて、上記表示部に表示すべき目盛りの間隔を求める
ことを特徴とする請求項１に記載の撮像装置。
【発明の詳細な説明】
【技術分野】
【０００１】
この発明は、例えば電線の地上高を測定する際に使用して好適な撮像装置に関する。
【背景技術】
【０００２】
従来、例えば、土木・建設工事の現場で資材搬入・搬出のためのクレーン、フォークリフト等の重機の誤操作により電線が切断される事故が発生することがあった。そのような事故が発生した場合、電線を張り直した後に、その電線の地上高を測定し、その地上高が基準を満たしていたか否かを確認することが行われている。この測定は、例えば、間隔測定棒（間隔測定棹）を用いて行われる。
【０００３】
また、特許文献１には、例えば電線の地上高の測定をＧＰＳ(Global Positioning System)受信機を用いて行うことが提案されている。この場合、距離測定に係る２点でＧＰＳ衛星からの位置信号を受信して当該２点の位置情報を取得し、これら２点の位置情報に基づいて距離を算出するものである。
【特許文献１】特開２００６−６４５９２号公報
【発明の開示】
【発明が解決しようとする課題】
【０００４】
上述したように電線の地上高の測定を、間隔測定棒を用いて行うものにあっては、この間隔測定棒の先端を電線に当接することが必要となるため、電線の地上高の測定を容易に行えず、その測定に時間がかかるという問題があった。また、電線切断の責任の所在を明らかにするために、測定状況を写真撮影し、電線の地上高が間隔測定棒の数値で示された写真を証拠として残すことが行われるが、その場合には、間隔測定棒を持つ人と写真を撮る人とで作業員が２人必要になるという問題があった。
【０００５】
また、上述したように電線の地上高の測定を、ＧＰＳ受信機を用いて行うものにあっては、上述した間隔測定棒を用いた測定と同様にＧＰＳアンテナを距離測定に係る２点にそれぞれ位置させてＧＰＳ衛星からの位置信号を受信することが必要となるため、電線の地上高の測定を容易に行えず、時間がかかるという問題点があった。またこの場合、その測定状況を写真撮影したとしても、その写真には電線の地上高を示す表示はなく、電線切断の責任の所在を明らかにするための証拠とはなり得ない。
【０００６】
この発明の目的は、被写体の所定位置における距離または大きさの測定を容易に行い得る撮像装置を提供することにある。
【課題を解決するための手段】
【０００７】
この発明の概念は、
被写体を撮像して撮像信号を得る撮像部と、
上記撮像部で得られる撮像信号を処理して画像信号を得る撮像信号処理部と、
上記被写体の所定位置までの距離を示す距離情報を取得する距離情報取得部と、
画像信号による画像を表示する表示部と、
少なくとも目盛り単位を示す目盛り単位情報および上記距離情報取得部で取得された距離情報を用いて、上記表示部に表示すべき目盛りの間隔を求める演算部と、
上記演算部で求められた目盛りの間隔の情報に基づいて、上記表示部に目盛りを表示するための表示信号を発生する表示信号発生部と、
上記撮像信号処理部で得られた画像信号に上記表示信号発生部で発生された表示信号を合成して上記表示部に供給する合成画像信号を得る合成部と
を備えることを特徴とする撮像装置にある。
【０００８】
この発明において、撮像部からの撮像信号が撮像信号処理部で処理されて画像信号が得られ、この画像信号は合成部を介して表示部に供給される。これにより、表示部には被写体の撮像画像が表示される。
【０００９】
被写体の所定位置までの距離を示す距離情報が取得される。例えば、この距離情報は、ユーザ操作部からの入力により与えられる。また例えば、この距離情報は、距離測定部で測定されて与えられる。例えば、この距離測定部では、光、電波などを用いて距離測定が行われる。このようにユーザが距離情報を入力するためのユーザ操作部を備えることで、光、電波などを用いた距離測定部を備えることが必要でなく安価に構成でき、あるいは光、電波などを用いた距離測定部を備えているが、それによる測定ができないときにも対処できる。また、光、電波などを用いた距離測定部を備えることで、距離測定を容易かつ簡単に行うことができ、メジャーによる測定が不可能な場所であっても対処できる。
【００１０】
少なくとも目盛り単位を示す目盛り単位情報および上述した距離情報を用いて、表示部に表示すべき目盛りの間隔が求められる。そして、この目盛りの間隔に基づいて、表示部に目盛りを表示するための表示信号が発生される。この表示信号は合成部を介して表示部に供給される。これにより、表示部には、被写体の撮像画像と共に、当該被写体の所定位置における実サイズを示す目盛りが表示されるため、この目盛りを参照することにより被写体の所定位置における距離または大きさの測定を容易に行い得るようなる。
【００１１】
例えば、合成部で得られた合成画像信号、つまり被写体の撮像画像を表示するための画像信号に目盛りを表示するための表示信号を合成した信号を記録媒体に記録する記録部をさらに備えるようにしてもよい。このような記録部を備えることで、被写体の所定位置における距離または大きさを容易に測定または確認し得る、目盛り表示がなされた被写体の撮像画像を、残しておくことができる。
【００１２】
また例えば、目盛り単位を示す目盛り単位情報をユーザが入力するためのユーザ操作部をさらに備えるようにしてもよい。これにより、被写体の撮像画像と共に表示される目盛りの単位を自由に設定でき、被写体の所定位置における距離または大きさを必要な精度で容易に測定可能となる。
【００１３】
また例えば、撮像部はズーム機能を有し、ズーム機能に係るズーム倍率をユーザが設定するためのユーザ操作部をさらに備え、演算部は、少なくとも目盛り単位情報および距離情報の他に、ユーザ操作部で設定されたズーム倍率を用いて、表示部に表示すべき目盛りの間隔を求めるようにしてもよい。この場合、ズーム倍率を上げることで表示部に表示される目盛りの間隔も広がるため、目盛り単位を小さくして測定精度を上げる場合の測定作業を容易とできる。
【発明の効果】
【００１４】
この発明によれば、被写体の所定位置における距離または大きさの測定を容易に行うことができる。
【発明を実施するための最良の形態】
【００１５】
以下、図面を参照しながら、この発明の実施の形態について説明する。図１は、撮像装置としてのデジタルカメラ１００の構成を示している。デジタルカメラ１００は、制御部１０１と、ユーザ操作部１０２と、撮像レンズ１０３と、撮像素子１０４と、レンズ制御部１０５と、撮像信号処理部１０６と、距離測定部１０７と、ＯＳＤ(On Screen Display)部１０８と、合成部１０９と、表示部１１０と、記録部１１１と、出力インタフェース１１２とを有している。
【００１６】
制御部１０１はカメラ全体の動作を制御するものであり、例えばマイクロコンピュータを備えている。この制御部１０１は、通常のカメラ動作の制御を行う他、後述するように、ユーザによる直線距離の測定操作あるいは直線距離の入力操作があるとき、表示部１１０に被写体画像と共にこの被写体の所定位置における実サイズを示す目盛りを表示し、その状態での制御を行う。
【００１７】
ユーザ操作部１０２は、ユーザが種々の入力を行うために操作するユーザインターフェースを構成している。このユーザ操作部１０２では、電源のオンオフ操作、シャッターオン操作、ズーム倍率の変更操作などの通常のデジタルカメラの操作の他に、被写体の所定位置までの距離を示す距離情報の入力操作、目盛り単位を示す目盛り単位情報の入力操作等が行われる。このユーザ操作部１０２は、制御部１０１に接続されている。
【００１８】
撮像レンズ１０３は、例えばマスタレンズ、焦度調整用レンズ、変倍レンズなどにより構成されている。レンズ制御部１０５は、撮像レンズ１０３の焦度調節用レンズ、変倍レンズなどを駆動する駆動部並びにこの駆動部を制御する制御部、オートフォーカスを制御する制御部を含んでいる。このレンズ制御部１０５は、制御部１０１により制御される。
【００１９】
撮像素子１０４は、ＣＣＤ(Charged Coupled Device)あるいはＣＭＯＳ(ComplementaryMetal-Oxide Semiconductor)等の撮像素子である。撮像レンズ１０３、レンズ制御部１０５および撮像素子１０４は撮像部を構成している。撮像信号処理部１０６は、撮像素子１０４から出力される撮像信号（アナログ信号）のサンプルホールドおよび利得制御、アナログ信号からデジタル信号への変換を行い、さらにホワイトバランス調整、ガンマ補正等を行って画像信号（デジタル信号）を生成する。
【００２０】
距離測定部１０７は、撮像素子１０４で撮像される被写体の所定位置までの距離を測定する。距離測定部１０７は、光、電波等を用いて距離測定を行う。図２は、レーザを用いて距離測定を行う距離測定部１０７の構成例を示している。この距離測定部１０７は、測距カウンタ１０７ａ、レーザ発振器１０７ｂ、送信光学系１０７ｃ、送光検知器１０７ｄ、受信光学系１０７ｅおよび受光検知器１０７ｆを有している。
【００２１】
レーザ発振器１０７ｂは、距離測定用のパルスレーザビームを送信光学系１０７ｃに出力する光源である。このレーザ発振器１０７ｂの発振動作は制御部１０１からの制御信号に基づいて開始される。送信光学系１０７ｃは、レーザ発振器１０７ｂから送出されたレーザビームを整形して目標物（被写体の所定位置）に照射する。送光検知器１０７ｄは、レーザ発振器１０７ｂからの上述したレーザビームの一部が供給され、このレーザビームの送信タイミングを検出し、計測開始信号ＳＴを測距カウンタ１０７ａに送る。
【００２２】
受信光学系１０７ｅは、目標物から反射されるレーザビームを受けて受光検知器１０７ｆに送る。受光検知器１０７ｆは、受信光学系１０７ｅを介して受けるレーザビームを検知した際、計測停止信号ＳＰを測距カウンタ１０７ａに送る。
【００２３】
測距カウンタ１０７ａは、計測開始信号ＳＴが送られてきた時点から計測停止信号ＳＰが送られてきた時点までの経過時間を計測する。ここで、測距カウンタ１０７ａが計時カウンタであれば、経過時間が直接計測される。測距カウンタ１０７ａは、その計測値を距離情報として制御部１０１に送る。
【００２４】
図２に示す距離測定部１０７の測定動作を簡単に説明する。目標物までの距離を示す距離情報をこの距離測定部１０７を用いて取得する場合、レーザ発振器１０７ｂからは制御部１０１の制御により距離測定用のパルスレーザビームＬＢａが出力される。このレーザビームＬＢａは送信光学系１０７ｃにより整形されて目標物（被写体の所定位置）に照射される。
【００２５】
レーザ発振器１０７ｂから上述したように出力されるレーザビームＬＢａの一部は送光検知器１０７ｄに供給される。送光検知器１０７ｃではこのレーザビームＬＢａの一部が検知されることで、レーザビームＬＢａの送信タイミングが検知される。そして、この送光検知器１０７ｄから測距カウンタ１０７ａに計測開始信号ＳＴが供給され、この測距カウンタ１０７ａでは経過時間の計測のためのカウント動作が開始される。
【００２６】
一方、目標物で反射されたレーザビームＬＢｂは、受信光学系１０７ｅを通じて受光検知器１０７ｆに供給される。受光検知器１０７ｆではこのレーザビームＬＢｂが検知されることで、レーザビームＬＢｂの受信タイミングが検知される。そして、この受光検知器１０７ｆから測距カウンタ１０７ａに計測停止信号ＳＰが供給され、この測距カウンタ１０７ａでは経過時間の計測のためのカウント動作が停止される。
【００２７】
測距カウンタ１０７ａは上述したようにレーザビームＬＢａの送信タイミングでカウント動作が開始されると共に目標物で反射されたレーザビームＬＢの受信タイミングでカウント動作が停止される。そのため、この測距カウンタ１０７ａには、上述したような計測動作により、レーザビームがデジタルカメラ１００と目標物の間を往復する時間に対応した計測値（カウント値）が得られる。この計測値は制御部１０１に距離情報として供給される。
【００２８】
なお、制御部１０１では、このように距離測定部１０７から距離情報としての計測値が供給される場合、その計測値を用いて、目標物までの距離が算出され、後述するように、表示部１１０に表示すべき目盛りの間隔を求める際の演算に使用される。
【００２９】
図１に戻って、制御部１０１は、表示部１１０に被写体の撮像画像と共にこの被写体の所定位置における実サイズを示す目盛りを表示する際には、デジタルカメラ１００から被写体の所定位置（目標物）までの距離を示す距離情報、表示部１１０に表示する目盛りの単位を示す目盛り単位情報等を用いて、表示部１１０に表示すべき目盛りの間隔を求める。この意味で、制御部１０１は演算部を構成している。ここで、距離情報としては、上述した距離測定部１０７における測定動作で得られたもの、あるいはユーザ操作部１０２から入力されたものが用いられる。目盛り単位情報としては、ユーザ操作部１０２から入力されたものが用いられるが、その入力がない場合には制御部１０１内のメモリに記憶されているものが用いられる。
【００３０】
表示部１１０に表示すべき目盛りの間隔Ｄは、以下の（１）式により算出される。
Ｄ（ｃｍ）＝（Ｌref÷Ｌｔ）×ＲＤref×ＥＸ×ＤＵ×１００    ・・・（１）
【００３１】
ここで、Ｌrefは基準距離を示す。この基準距離Ｌrefは、表示部１１０に表示される目盛りの基準となる距離であって、カメラ毎に異なる。Ｌｔは直線距離を示す。この直線距離Ｌｔは、カメラから被写体の所定位置までの直線距離であって、上述したように距離測定部１０７の測定動作で得られた距離情報あるいはユーザ操作部１０２から入力された距離情報に基づいて求められる。
【００３２】
ＲＤrefは基準縮小率を示す。この基準縮小率ＲＤrefは、基準距離Ｌrefに存在する物体の実サイズとその物体の表示部１１０でのサイズ（表示サイズ）との比率である。例えば、実サイズが２ｍで表示サイズが４ｃｍであるとき、ＲＤref＝１／５０となる。ＥＸはカメラ拡大率を示す。このカメラ拡大率ＥＸは、カメラのズーム機能による比率、つまりズーム倍率と同じである。ＤＵは目盛り単位を示す。この目盛り単位ＤＵは、表示部１１０に表示する１目盛り当たりの単位（ｍ）である。
【００３３】
例えば、基準距離Ｌrefが５ｍ、直線距離Ｌｔが２５ｍ、基準縮小率ＲＤrefが１／５０、カメラ拡大率ＥＸが２倍、目盛り単位ＤＵが０．５ｍであるとき、Ｄ＝（５÷２５）×（１／５０）×２×０．５×１００＝０．４（ｃｍ）となる。
【００３４】
ＯＳＤ部１０８は、表示部１１０に被写体の撮像画像と共にこの被写体の所定位置における実サイズを示す目盛りを表示する際に、制御部１０１から供給される表示データに基づいて、表示部１１０に上述した目盛り間隔Ｄの目盛りを表示するための表示信号を発生する。なお、このＯＳＤ部１０８は、表示部１１０に後述する目盛り表示の基準点となるマークＭＫを表示するための表示信号も発生する。ここで、制御部１０１およびＯＳＤ部１０８は表示信号発生部を構成している。
【００３５】
合成部１０９は、撮像信号処理部１０６で生成された画像信号にＯＳＤ部１０８で発生された表示信号を合成して合成画像信号を得る。表示部１１０は、合成部１０９から出力される画像信号による画像を表示する。この表示部１１０は、例えばＬＣＤ(Liquid Crystal Display)パネルにより構成される。
【００３６】
記録部１１１は、ユーザ操作部１０２によるユーザの撮影操作に基づき、制御部１０１の制御のもと、合成部１０９から出力される画像信号をメモリカード等の記録媒体に記録する。この記録部１１１は、再生機能も備えており、制御部１０１の制御のもと、このように記録媒体に記録された画像信号を再生して表示部１１０に供給し、表示部１１０に再生画像信号による画像を表示させることができる。
【００３７】
出力インタフェース１１２は、例えばＵＳＢ(Universal Serial Bus)規格などのものである。例えば、この出力インタフェース１１２を介してパーソナルコンピュータを接続でき、記録部１１１で記録媒体に記録されている画像信号をパーソナルコンピュータに転送することが可能となる。
【００３８】
図１に示すデジタルカメラ１００の動作を説明する。被写体からの像光が撮像レンズ１０３を介して撮像素子１０４に供給され、この撮像素子１０４の撮像面に被写体像が結像される。撮像素子１０４からはこの被写体像に対応した撮像信号が出力されて撮像信号処理部１０６に供給され、種々の処理が施されて画像信号が生成される。
【００３９】
この画像信号は、合成部１０９を介して表示部１１０および記録部１１１に供給される。これにより、表示部１１０には被写体の撮像画像が表示される。この場合、ユーザのズーム操作に応じて、表示部１１０に表示される撮像画像がズームアップあるいはズームダウンされる。また、ユーザの撮影操作に基づき、記録部１１１では、１画面分の画像信号（静止画）、あるいは所定時間分の画像信号（動画）が記録媒体に記録される。
【００４０】
このような通常のカメラ動作において、ユーザ操作により距離測定部１０７で距離測定が行われる場合、あるいはユーザ操作部１０２から距離情報が入力される場合、制御部１０１では、距離情報に基づいて、被写体の所定位置（目標物）までの距離が演算され、表示部１１０に表示すべき目盛りの間隔Ｄが求められる（（１）式参照）。
【００４１】
そして、この制御部１０１からＯＳＤ部１０８に表示データが供給され、このＯＳＤ部１０８からは、表示部１１０に被写体の所定位置における実サイズを示す目盛りを表示するための表示信号が発生される。この表示信号は合成部１０９に供給され、撮像信号処理部１０６で生成された画像信号に合成される。これにより、表示部１１０には、被写体の撮像画像と共にこの被写体の所定位置における実サイズを示す目盛りが表示される。この場合、ユーザは、当該目盛りを参照して、被写体の所定位置における距離または大きさを測定することが可能となる。
【００４２】
このように目盛りが表示されている状態で、ユーザによるズーム操作があるとき、表示部１１０に表示される被写体の撮像画像がズームアップあるいはズームダウンされる。このとき、制御部１０１では、ズーム倍率の変化に応じて、表示部１１０に表示すべき目盛りの間隔Ｄが新たに求められ、更新された表示データがＯＳＤ部１０８に供給される。そのため、このＯＳＤ部１０８からは、ズーム倍率の変化があっても被写体の所定位置における実サイズを正しく示す目盛りを表示する表示信号が発生される。
【００４３】
そのため、ユーザによるズーム操作があるとき、表示部１１０に表示される撮像画像がズームアップあるいはズームダウンされるが、それに伴って表示される目盛りの間隔も変更されるので、ユーザは、当該目盛りを参照して、被写体の所定位置における距離または大きさを正しく測定することが可能となる。
【００４４】
また、このように目盛りが表示されている状態で、ユーザ操作部１０２から目盛り単位情報が入力されるとき、制御部１０１では、目盛り単位の変化に応じて、表示部１１０に表示すべき目盛りの間隔Ｄが新たに求められ、更新された表示データがＯＳＤ部１０８に供給される。そのため、このＯＳＤ部１０８からは、目盛り単位に応じた間隔で目盛りを表示する表示信号が発生される。
【００４５】
そのため、ユーザ操作部１０２から目盛り単位情報が入力されて新たな目盛り単位の設定が行われるとき、表示部１１０に表示される目盛りの間隔は新たに設定された目盛り単位に対応したものとなり、ユーザは、被写体の所定位置における距離または大きさを必要な精度で容易に測定可能となる。
【００４６】
また、このように目盛りが表示されている状態で、ユーザによる撮影操作があるとき、記録部１１１では、合成部１０９から出力される画像信号のうち、１画面分の画像信号（静止画）、あるいは所定時間分の画像信号（動画）が記録媒体に記録される。この場合、被写体の撮像画像がこの被写体の所定位置における実サイズを示す目盛りが同時に表示された状態で記録されることになる。この記録画像によれば、目盛りを参照して、被写体の所定位置における距離または大きさを測定あるいは確認することが可能となる。
【００４７】
次に、図３のフローチャートを参照して、図１に示すデジタルカメラ１００における制御部１０１の制御動作をさらに説明する。
【００４８】
まず、電源オンとされるとき、ステップＳＴ１で、処理を開始し、ステップＳＴ２で、システムを起動する。そして、ステップＳＴ３で、通常のカメラ動作制御を行う。そして、ステップＳＴ４で、ユーザ操作部１０２で直線距離の測定操作があるか否かを判定する。ここで、直線距離とはデジタルカメラ１００から目標物（被写体の所定位置）までの距離であって、その測定操作とは距離測定部１０７に測定動作をさせるためのユーザによる操作である。
【００４９】
直線距離の測定操作がないときは、ステップＳＴ５で、直線距離の入力操作があるか否かを判定する。ここで、直線距離の入力操作とは、直線距離を示す距離情報をユーザ操作部１０２から入力するユーザによる操作である。直線距離の入力操作がないときは、ステップＳＴ３に戻り、通常のカメラ動作制御を続ける。
【００５０】
ステップＳＴ４で直線距離の測定操作があるときは、ステップＳＴ６で、直線距離の測定を行う。この場合、距離測定部１０７のレーザ発振器１０７ｂを制御してパルスレーザビームを出力させ、測距カウンタ１０７ａから距離情報としての計測値（カウント値）を取得する。そして、この計測値に基づいて、目標物までの距離を算出する。このステップＳＴ６の後に、ステップＳＴ７に進む。ステップＳＴ５で直線距離の入力操作があるときは、直ちに、ステップＳＴ７に進む。
【００５１】
このステップＳＴ７では、上述した（１）式に基づいて、表示部１１０に表示すべき目盛りの間隔Ｄを算出する。そして、ステップＳＴ８で、表示部１１０に、被写体の撮像画像と共に、この被写体の所定位置における実サイズを示す目盛りを表示させる。この場合、ＯＳＤ部１０８に表示データを供給し、このＯＳＤ部１０８に上述した目盛り間隔Ｄの目盛りを表示するための表示信号を発生させる。
【００５２】
次に、ステップＳＴ９で、目盛り単位の調整操作があるか否かを判定する。ここで、目盛り単位の調整操作とは、目盛り単位を示す目盛り単位情報をユーザ操作部１０２から入力するユーザによる操作である。目盛り単位の調整操作があるときは、ステップＳＴ７に戻り、新たな目盛り単位を用いて目盛りの間隔Ｄを求め、更新された表示データをＯＳＤ部１０８に供給し、このＯＳＤ部１０８から新たな目盛り単位に応じた間隔で目盛りを表示する表示信号を発生させる。これにより、表示部１１０に表示される被写体の所定位置における実サイズを示す目盛りの間隔は、新たな目盛り単位に応じたものとなる。
【００５３】
ステップＳＴ９で、目盛り単位の調整操作がないときは、ステップＳＴ１０で、撮影範囲の調整操作があるか否かを判定する。ここで、撮影範囲の調整操作とはユーザがユーザ操作部１０２からズーム倍率を調整する操作である。撮影範囲の調整操作があるときは、ステップＳＴ１１で、レンズ制御部１０５を制御してズーム制御し、その後にステップＳＴ７に戻り、新たなズーム倍率（カメラ拡大率）を用いて目盛りの間隔Ｄを求め、更新された表示データをＯＳＤ部１０８に供給し、このＯＳＤ部１０８から新たなズーム倍率に応じた間隔で目盛りを表示する表示信号を発生させる。これにより、表示部１１０に表示される被写体の所定位置における実サイズを示す目盛りの間隔は、この表示部１１０に表示される被写体の撮像画像のズームアップあるいはズームダウンに応じて変化する。
【００５４】
ステップＳＴ１０で撮影範囲の調整操作がないときは、ステップＳＴ１２で、撮影操作があるか否かを判定する。ここで、撮影操作とは、例えばユーザがユーザ操作部１０２に存在するシャッターボタンを押圧する操作である。この撮影操作があるときは、ステップＳＴ１３で、記録部１１１を制御し、合成部１０９から出力される画像信号のうち、１画面分の画像信号（静止画）、あるいは所定時間分の画像信号（動画）を記録媒体に記録させる。そして、ステップＳＴ９に戻る。
【００５５】
ステップＳＴ１２で撮影操作がないときは、ステップＳＴ１４で、通常カメラ動作への復帰操作があるか否か判定する。ここで、通常カメラ動作とは表示部１１０に目盛りが表示されていない状態での動作であり、その復帰操作はユーザがユーザ操作部１０２を操作することで行われる。復帰操作があるときは、ステップＳＴ３に戻り、通常のカメラ動作制御に移る。
【００５６】
ステップＳＴ１４で復帰操作がないときは、ステップＳＴ１５で、終了操作があるか否かを判定する。ここで、終了操作は、ユーザがユーザ操作部１０２に存在する電源ボタンを押圧して電源オフとする操作である。終了操作がないときは、ステップＳＴ９に戻って、上述したと同様の制御を行い、一方終了操作があるときは、ステップＳＴ１６で、処理を終了する。
【００５７】
次に、図４のフローチャートを参照して、上述したデジタルカメラ１００を用いて、被写体の所定位置（目標物）における距離または大きさを測定し、さらにそのときの画像を記録する測定撮像時における、ユーザの作業手順例を説明する。
【００５８】
まず、ステップＳＴ２１で、作業を開始し、ステップＳＴ２２で、被写体の所定位置を示す目標物を置くか否かを決める。目標物を置くと決定するときは、ステップＳＴ２３で、被写体の所定位置に目標物を置く。例えば、後述するように、電線の地上高を測定する際には、この電線の直下の地上位置に目標物を置く。
【００５９】
上述したデジタルカメラ１００における距離測定部１０７は、レーザビームをこの目標物に照射し、反射されたレーザビームを受けることで距離測定を行う。したがって、目標物としてはレーザビームを効率よく反射できるものが最適である。また、上述していないが、この目標物から反射レーザビームのみを受光できるように、この目標物の反射面側に、反射光の偏光面を回転させる波長板、あるいは反射光に変調を与える変調手段を配するようにしてもよい。
【００６０】
このステップＳＴ２３の作業の後にステップＳＴ２４に進む。なお、ステップＳＴ２２で目標物を置かないこととするときは、直ちにステップＳＴ２４に進む。このステップＳＴ２４では、撮影点（撮影位置）に移動する。そして、ステップＳＴ２５で、デジタルカメラ１００の電源を入れる。このようにデジタルカメラ１００の電源を入れることで、上述したように、このデジタルカメラ１００は通常のカメラ動作を行う状態となり、表示部１１０に被写体の撮像画像が表示される。
【００６１】
次に、ステップＳＴ２６で、デジタルカメラ１００のユーザ操作部１０２を操作して、直線距離の測定操作あるいは直線距離の入力操作を行う。このような操作を行うことで、デジタルカメラ１００の表示部１１０には、被写体の撮像画像と共に、この被写体の所定位置（目標物）における実サイズを示す目盛りが表示される。これにより、ユーザは、目盛りを参照して、被写体の所定位置における距離または大きさを測定することが可能となる。
【００６２】
次に、ステップＳＴ２７で、デジタルカメラ１００のユーザ操作部１０２を操作して、撮影範囲（ズーム率）および目盛り単位を調整する。ズーム率を調整することで、表示部１１０に表示される撮像画像がズームアップあるいはズームダウンされる。また、この撮像画像のズームアップあるいはズームダウンに対応して、表示部１１０に表示される被写体の所定位置における実サイズを示す目盛りの間隔が変更される。また、目盛り単位を調整することで、表示部１１０に表示される被写体の所定位置における実サイズを示す目盛りの間隔が変更される。なお、撮影範囲（ズーム率）の調整は、表示部１１０に目盛りが表示される前の状態、つまり通常のカメラ動作時に行ってもよい。
【００６３】
次に、ステップＳＴ２８で、デジタルカメラ１００のユーザ操作部１０２を操作して、測定時における画像を記録する。これにより、デジタルカメラ１００の記録部１１１に、被写体の撮像画像がこの被写体の所定位置における実サイズを示す目盛りが同時に表示された状態で記録される。
【００６４】
次に、ステップＳＴ２９で、デジタルカメラ１００の電源を切り、作業を終了する。
【００６５】
ここで、上述したデジタルカメラ１００を用いて、実際に電線の地上高を測定する具体例について説明する。最初に、目標物を置く場合について説明する。図５は、その場合の撮影状況を示している。
【００６６】
図６Ａは、デジタルカメラ１００の電源を入れた直後に表示部１１０に表示される画像を示している。この場合、表示部１１０には被写体の撮像画像が表示されていて、電線ＥＷの直下の地上位置に円錐状の目標物ＴＯが置かれていることが分かる。この目標物ＴＯは被写体の所定位置を構成している。
【００６７】
なおこの場合、表示部１１０には、被写体の撮像画像と共に、目盛り表示の基準点となるマークＭＫも表示されている。このマークＭＫを表示するための表示信号は、上述したようにＯＳＤ部１０８で発生される。このマークＭＫの表示位置として、ユーザはユーザ操作部１０２を操作して、例えば図示のような画面下部あるいは画面上部を選択できる。マークＭＫの位置が画面下部であるときはこのマークＭＫから上方に目盛りが表示されていき、一方マークＭＫの位置が画面上部であるときはこのマークＭＫから下方に目盛りが表示されていく。
【００６８】
図６Ｂは、ユーザが撮影点で撮影範囲を調整し、マークＭＫを目標物ＴＯに合わせた状態を示している。この状態で、ユーザが例えば直線距離の測定操作を行うことで、距離測定部１０７で測定動作が行われて距離情報（計測値）が得られ、制御部１０１で距離情報に基づいて目標物ＴＯまでの直線距離Ｌｔが求められ、さらに表示部１１０に表示すべき目盛りの間隔Ｄが上述の（１）式により算出され、ＯＳＤ部１０８から目標物ＴＯにおける実サイズを示す目盛りを表示するための表示信号が発生され、表示部１１０には、図７Ａに示すように、被写体の撮像画像と共に、この被写体の所定位置（目標物ＴＯ）における実サイズを示す目盛りＳＣが表示される。
【００６９】
このように目盛りＳＣが表示されることで、ユーザは、当該目盛りＳＣを参照して電線ＥＷの地上高ＤＴを測定できる。例えば、目盛り単位が５０ｃｍであるときには、地上高ＤＴがほぼ５．７５ｍであると測定される。なお、図７Ａに示す目盛りＳＣの表示例では目盛り単位毎のラインのみを表示しているが、各ラインに対応して基準点（マークＭＫ）からの高さを示す数値を一緒に表示するようにしてもよい。
【００７０】
図７Ｂは、ユーザが目盛り単位を２倍に変更した場合に表示部１１０に表示される画像を示している。この場合、目盛り単位を２倍にしたことで、表示される目盛りの間隔は２倍となっている。ユーザは目盛り単位を任意に設定でき、表示部１１０にはその目盛り単位に対応して目盛りＳＣが表示されるので、ユーザは必要な精度で電線ＥＷの地上高を測定できる。
【００７１】
なお、表示部１１０に例えば図７Ａあるいは図７Ｂの画像が表示されている状態でユーザが撮影操作を行うことで、記録部１１１でこれらの画像（実際には画像信号）が記録される。この記録画像は、記録部１１１から再生して表示部１１０に表示でき、また必要に応じて記録部１１１から出力インタフェース１１２を通じてパーソナルコンピュータに転送して、そのディスプレイに表示でき、あるいはプリンタで印刷できる。この記録画像によれば、目盛りＳＣを参照して、電線ＥＷの地上高ＤＴを測定あるいは確認することができる。
【００７２】
次に、目標物を置かない場合について説明する。図８は、その場合の撮影状況を示している。
【００７３】
図９Ａは、デジタルカメラ１００の電源を入れた直後に表示部１１０に表示される画像を示している。この場合、表示部１１０には被写体の撮像画像が表示されていて、電線ＥＷの直下に目標物ＴＯ（図６Ａ参照）は置かれていない。この場合、被写体の所定位置を構成する電線ＥＷが目標物とされる。なおこの場合、表示部１１０には、被写体の撮像画像と共に、目盛り表示の基準点となるマークＭＫも表示されている。
【００７４】
図９Ｂは、ユーザが撮影点で撮影範囲を調整し、マークＭＫを目標物である電線ＥＷに合わせた状態を示している。この状態で、ユーザが例えば直線距離の測定操作を行うことで、距離測定部１０７で測定動作が行われて距離情報（計測値）が得られ、制御部１０１で距離情報に基づいて目標物である電線ＥＷまでの直線距離Ｌｔが求められ、さらに表示部１１０に表示すべき目盛りの間隔Ｄが上述の（１）式により算出され、ＯＳＤ部１０８から目標物ＴＯにおける実サイズを示す目盛りを表示するための表示信号が発生され、表示部１１０には、図１０Ａに示すように、被写体の撮像画像と共に、この被写体の所定位置（目標物ＴＯ）における実サイズを示す目盛りＳＣが表示される。このように目盛りＳＣが表示されることで、ユーザは、当該目盛りＳＣを参照して電線ＥＷの地上高ＤＴを測定できる。
【００７５】
なお、この例では目標物ＴＯを置かないので距離測定部１０７で測定動作が良好に行われないことも考えられる。その場合、制御部１０１で求められる目盛りの間隔Ｄが極端な値となり、表示部１１０に表示される目盛りＳＣも明らかに異常な間隔で表示されるので、ユーザは再度直線距離の測定操作を行えばよい。また、再度の試行でも同様の場合には、ユーザは何らかの方法で直線距離Ｌｔの距離情報を取得し、それを操作部１０２から入力すればよい。
【００７６】
図１０Ｂは、ユーザが目盛り単位を２倍に変更した場合に表示部１１０に表示される画像を示している。この場合、目盛り単位を２倍にしたことで、表示される目盛りの間隔は２倍となっている。ユーザは目盛り単位を任意に設定でき、表示部１１０にはその目盛り単位に対応して目盛りＳＣが表示されるので、ユーザは必要な精度で電線ＥＷの地上高を測定できる。
【００７７】
なお、ユーザは、表示部１１０に例えば図１０Ａあるいは図１０Ｂの画像が表示されている状態で撮影操作を行うことで、記録部１１１でこれらの画像（実際には画像信号）が記録される。この記録画像は、表示部１１０に表示でき、また必要に応じて出力インタフェース１１２を通じてパーソナルコンピュータに転送して、そのディスプレイに表示でき、あるいはプリンタで印刷できる。この記録画像によれば、目盛りＳＣを参照して、電線ＥＷの地上高ＤＴを測定あるいは確認することができる。
【００７８】
上述したように、図１に示すデジタルカメラ１００によれば、表示部１１０には、被写体の撮像画像と共に、当該被写体の所定位置（目標物）における実サイズを示す目盛りが表示されるため、被写体の所定位置における距離または大きさの測定を容易に行うことができる。
【００７９】
また、図１に示すデジタルカメラ１００によれば、被写体の所定位置までの距離を示す距離情報をユーザ操作部１０２から入力でき、距離測定部１０７で距離測定が良好に行われない場合に対処できる。また、図１に示すデジタルカメラ１００によれば、光、電波等を用いて距離測定を行う距離測定部１０７を備えているので、距離測定を容易かつ簡単に行うことができ、メジャーによる測定が不可能な場所であっても対処できる。
【００８０】
また、図１に示すデジタルカメラ１００によれば、合成部１０９で得られた合成画像信号、つまり被写体の撮像画像を表示するための画像信号に目盛りを表示するための表示信号を合成した信号を記録媒体に記録する記録部１１１を備えているので、被写体の所定位置における距離または大きさを容易に測定、確認し得る、目盛り表示がなされた被写体の撮像画像を、残しておくことができる。
【００８１】
また、図１に示すデジタルカメラ１００によれば、ユーザはユーザ操作部１０２から目盛り単位を示す目盛り単位情報を入力できるため、被写体の撮像画像と共に表示される目盛り単位を自由に設定でき、被写体の所定位置における距離または大きさを必要な精度で容易に測定できる。
【００８２】
また、図１に示すデジタルカメラ１００によれば、ユーザがユーザ操作部１０２を操作してズーム倍率を設定するとき、そのズーム倍率に応じて表示部１１０に表示される目盛りの間隔が変化し、例えばズーム倍率を上げることで表示部に表示される目盛りの間隔も広がるため、目盛り単位を小さくして測定精度を上げる場合の測定作業を容易とできる。
【００８３】
なお、上述実施の形態においては、表示部１１０の垂直方向に目盛りＳＣを表示するものを示したが、基準点を示すマークＭＫから水平方向に目盛りＳＣを表示することも考えられる。また、上述実施の形態においては、表示部１１０にライン状の目盛りＳＣを表示するものを示したが、図１１に示すように、マークＭＫを中心として同心円状に目盛りＳＣを表示することもできる。このように同心円状に目盛りＳＣを表示することで、斜め方向の距離測定なども容易に行うことができる。
【００８４】
また、上述実施の形態においては、電線の地上高を測定する例を示したが、同様にして被写体の所定位置における距離または大きさを測定できる。
【産業上の利用可能性】
【００８５】
この発明は、被写体の所定位置における距離または大きさの測定を容易に行い得るものであり、例えば電線の地上高等を測定する際に適用できる。
【図面の簡単な説明】
【００８６】
【図１】実施の形態としてのデジタルカメラの構成を示すブロック図である。
【図２】距離測定部の構成例を示すブロック図である。
【図３】デジタルカメラの制御部の制御動作を説明するためのフローチャートである。
【図４】測定撮像時におけるユーザの作業手順例を示すフローチャートである。
【図５】電線の地上高を測定する際の撮影状況（直下に目標物を置く場合）を示す図である。
【図６】電源オン時および撮影範囲調整を行ったときの表示例を示す図である。
【図７】目盛り表示時および目盛り単位調整を行ったときの表示例を示す図である。
【図８】電線の地上高を測定する際の撮影状況（直下に目標物を置かない場合）を示す図である。
【図９】電源オン時および撮影範囲調整を行ったときの表示例を示す図である。
【図１０】目盛り表示時および目盛り単位調整を行ったときの表示例を示す図である。
【図１１】同心円状の目盛りを説明するための図である。
【符号の説明】
【００８７】
１００・・・デジタルカメラ、１０１・・・制御部、１０２・・・ユーザ操作部、１０３・・・撮像レンズ、１０４・・・撮像素子、１０５・・・レンズ制御部、１０６・・・撮像信号処理部、１０７・・・距離測定部、１０８・・・ＯＳＤ部、１０９・・・合成部、１１０・・・表示部、１１１・・・記録部、１１２・・・出力インタフェース
【図１】
2008042580.tif 000003
【図２】
2008042580.tif 000004
【図３】
2008042580.tif 000005
【図４】
2008042580.tif 000006
【図５】
2008042580.tif 000007
【図６】
2008042580.tif 000008
【図７】
2008042580.tif 000009
【図８】
2008042580.tif 000010
【図９】
2008042580.tif 000011
【図１０】
2008042580.tif 000012
【図１１】
2008042580.tif 000013